(57)【特許請求の範囲】
【請求項１】
液透過性の表面シート、液不透過性の防漏シート及び両シート間に介在された液保持性の吸収体を具備し、背側部の左右両側縁部に、それぞれファスニングテープを固定して形成されたテープ固定部を有する使い捨ておむつにおいて、
着用時に、前記背側部の左右両側端間の全域に亘って、該背側部の上端縁が腹側部の上端縁よりも上方に位置するようになされており、
前記テープ固定部は、前記背側部の左右両側端から突出するテープ突出部の基部上端の高さ位置よりも上方に延出する延出部を有しており、
前記テープ固定部は、前記背側部の左右両側端から突出するテープ突出部の基部下端の高さ位置よりも下方に延出する下方延出部を有していないか、又は該背側部の左右両側端から突出するテープ突出部の基部下端の高さ位置よりも下方に延出し且つその延出長さＬ６が前記上方に延出する前記延出部の延出長さＬ３より短い下方延出部を有している使い捨ておむつ。
【請求項２】
前記テープ突出部は、その突出方向の先端部の幅が、その基部の幅よりも狭い請求項１記載の使い捨ておむつ。
【請求項３】
着用時における前記背側部の上端縁と前記腹側部の上端縁との高低差が、おむつを平面状に展開した状態における該おむつの全長に対して０．７〜１０％であり、前記テープ固定部の前記延出部の延出長さＬ３が、前記テープ突出部の基部上端の高さ位置と前記背側部の上端縁との間の距離Ｌ４に対して５〜９５％である請求項１又は２記載の使い捨ておむつ。
【請求項４】
腹側部の外表面に、前記ファスニングテープを止着する所定幅のランディングゾーンを有しており、
前記背側部の上端縁と前記腹側部の上端縁とが重なるように二つ折りしたときに、前記ファスニングテープにおける前記背側部の左右両側端から突出するテープ突出部の上下方向の幅の半分以上が、前記ランディングゾーンの下端よりも下方に位置する請求項１〜３の何れか記載の使い捨ておむつ。
【請求項５】
前記吸収体の長手方向両端部のうちの前記背側部側の端部が、着用時に、前記テープ固定部の上端の高さ位置より下方に位置する、請求項１〜４の何れか記載の使い捨ておむつ。
【発明の詳細な説明】
【０００１】
【発明の属する技術分野】
本発明は、ずれ落ちにくく、外観に優れており、装着が容易な使い捨ておむつに関する。
【０００２】
【従来の技術及び発明が解決しようとする課題】
着用時に腹側に配される腹側部及び背側に配される背側部を有しており、該背側部の左右両側縁部に、それぞれファスニングテープを有する使い捨ておむつは、広く知られている。
しかし、従来の斯かる使い捨ておむつは、着用者の激しい動作や長時間の着用により、おむつが次第にずれ落ちてくる場合があり、装着感が悪化したり、所要の漏れ防止効果が得られなくなる場合があった。
【０００３】
また、特開昭６４−６１０５号公報には、背側部に位置する吸収体の上端縁が腹側部に位置する吸収体の上端縁よりも上方に位置するようにした使い捨ておむつが記載されている。
しかし、この使い捨ておむつにおいては、背側部の上端縁付近、特に背側部の上端角部が折れ曲がり易く、その折れ曲がりにより、外観が悪化したり、迅速な装着が困難となる場合があった。
【０００４】
従って、本発明の目的は、ずれ落ちにくく、外観に優れており、装着が容易な使い捨ておむつを提供することにある。
【０００５】
【課題を解決するための手段】
本発明は、液透過性の表面シート、液不透過性の防漏シート及び両シート間に介在された液保持性の吸収体を具備し、背側部の左右両側縁部に、それぞれファスニングテープを固定して形成されたテープ固定部を有する使い捨ておむつにおいて、着用時に、背側部の上端縁が腹側部の上端縁よりも上方に位置するようになされており、前記テープ固定部は、前記背側部の左右両側端から突出するテープ突出部の基部上端の高さ位置よりも上方に延出する延出部を有している使い捨ておむつを提供することにより、上記目的を達成したものである（以下、第１発明というときは、この発明をいう）。
【０００６】
本発明は、液透過性の表面シート、液不透過性の防漏シート及び両シート間に介在された液保持性の吸収体を具備し、背側部の左右両側縁部に、それぞれファスニングテープを固定して形成されたテープ固定部を有しており、腹側部の外表面に、前記ファスニングテープを止着する所定幅のランディングゾーンを有する使い捨ておむつにおいて、前記背側部の上端縁と前記腹側部の上端縁とが重なるように二つ折りしたときに、前記ファスニングテープの前記背側部の左右両側端から突出するテープ突出部の上下方向の幅の半分以上が、前記ランディングゾーンの下端よりも下方に存在する使い捨ておむつを提供することにより、上記の目的を達成したものである（以下、第２発明というときは、この発明をいう）。
【０００７】
【発明の実施の形態】
以下、本発明をその好ましい実施形態に基づいて説明する。
第１及び第２発明の一実施形態である使い捨ておむつ１は、液透過性の表面シート２、液不透過性の防漏シート３、及び両シート２，３間に介在された液保持性の吸収体４を具備し、実質的に縦長に形成されており、着用時に着用者の背側に配される背側部Ａの左右両側縁部に、それぞれファスニングテープ５，５が設けられている、いわゆる展開型の使い捨ておむつである。
【０００８】
表面シート２及び防漏シート３は、それぞれ、吸収体４よりも大きい外形寸法を有しており、これら両シート２，３間に、略矩形状をなす縦長の吸収体４が挟持固定されている。防漏シート３は、長手方向の中央部が括れた縦長の形状を有し、おむつの外形を形成している。
【０００９】
おむつ１の長手方向の両側には、左右一対の立体ガード６，６が形成されている。立体ガード６は、図３に示すように、おむつ１の長手方向の両側に、立体ガード弾性部材６１を有する立体ガード形成用のシート材６２を配して形成されており、立体ガード６の基端（図示せず）は、各シート材６２を、吸収体４の両側縁部４ａ，４ａの近傍において、表面シート２に接着固定して形成されている。立体ガード弾性部材６１は、立体ガード６の自由縁端６３に近接させて、該自由縁端６３と略平行をなすように配されている。また、吸収体４の両側縁部４ａ，４ａよりも左右外方に延出するレッグ部７には、レッグギャザー形成用のレッグ部弾性部材７１が、それぞれ複数本、おむつの長手方向に沿うように且つおむつの股下部Ｃの全長に亘るように配されている。尚、使い捨ておむつ１の長手方向の両端部には、それぞれ、ウエストギャザー形成用のウエスト部弾性部材（図示せず）が幅方向に亘って配されている。
【００１０】
而して、本実施形態の使い捨ておむつ１は、おむつの着用時に、背側部Ａの上端縁１１が腹側部Ｂの上端縁１２よりも上方に位置するようになされている。
即ち、使い捨ておむつ１は、従来の使い捨ておむつと同様に装着した場合に、背側部Ａの上端縁１１が腹側部Ｂの上端縁１２よりも上方に位置するようになされている。
【００１１】
より具体的に説明すると、図２に示す如く、ファスニングテープ５における背側部Ａの左右両側端１３から突出する部分（以下、テープ突出部という）５１の上下方向の中央線５ａと、腹側部Ｂ上に形成されたランディングゾーン８の上下方向の中央線８ａとの高さ位置が一致するように、おむつを装着した場合に、背側部Ａの上端縁１１は、腹側部Ｂの上端縁１２よりも上方に位置する。
テープ突出部の中央線５ａの高さ位置とランディングゾーン８の中央線８ａの高さ位置とを一致させて、おむつを装着したときに、背側部Ａの上端縁１１が腹側部Ｂの上端縁１２より上方に位置する使い捨ておむつは、第１発明の使い捨ておむつの典型的な実施形態である。
本実施形態の使い捨ておむつ１においては、背側部Ａの左右両側端１３，１３間の全域に亘って、背側部Ａの上端縁１２が腹側部Ｂの上端縁１１よりも上方に位置する。
【００１２】
本実施形態の使い捨ておむつ１は、斯かる構成を有することで、着用者が激しく動いた場合や長時間着用した場合等であっても、ずれ落ちにくいものとなっている。
おむつのずれ落ちを効果的に防止すると共に、脚廻りに配されるレッグ部７，７の長さを充分なものとし、また、ファスニングテープ５，５のランディングゾーン８への止着を容易とする観点から、おむつ着用時における背側部Ａの上端縁１１と腹側部Ｂの上端縁１２との高低差Ｈは、おむつ１を図３に示すように平面状に展開した状態における該おむつ１の全長Ｌに対して０．７〜１０％であることが好ましく、１〜５％であることがより好ましい。尚、本実施形態における前記高低差Ｈは、図２に示すように、腹側部Ｂの上端縁１２とランディングゾーン８の上下方向の中央線８ａとの間の距離をＬ１、背側部Ａの上端縁１１とテープ突出部５１，５１における上下方向の中央線５ａとの間の距離をＬ２とした場合に、Ｈ＝Ｌ２−Ｌ１で求められる。
【００１３】
また、テープ突出部５１が肌に接触し、テープ５，５が外れ易くなることを防止する観点から、腹側部Ｂの上端縁１２とランディングゾーン８の上下方向の中央線８ａとの間の距離Ｌ１は、２ｃｍ以上、特に４〜６ｃｍであることが好ましい。
【００１４】
尚、「上下方向」とは、おむつ着用時における着用者の頭と足先とを結ぶ方向である。また、おむつ装着時に、テープ突出部５１，５１の中央線５ａが、ランディングゾーン８の中央線８に対して角度をなす場合等には、テープ突出部５１，５１の基部における上下方向の中央位置をランディングゾーン８の中央線８ａに合わせて、高低差Ｈを測定する。
【００１５】
使い捨ておむつ１の背側部Ａの左右両側縁部には、それぞれファスニングテープ５，５を固定してテープ固定部５２が形成されており、各テープ固定部５２は、背側部Ａの左右両側端１３，１３から突出するテープ突出部５１の基部上端Ｐの高さ位置よりも上方に延出する延出部５３を有している。ここで、基部上端Ｐとは、テープ突出部５１の基部における着用時に上側に位置する端部である。
テープ固定部５２は、略Ｔ字形状を有するファスニングテープ５，５の横棒部分を、背側部Ａの左右両側縁部を形成するシート材３，６２間に挟持させるように固定して形成されている。即ち、テープ固定部５２は、ファスニングテープ５及び両シート材３，６２からなる三層構造を有しており、周辺部よりも剛性が高くなっている。
【００１６】
このように、ファスニングテープ５を固定して形成された高剛性のテープ固定部５２が、テープ突出部５１の基部上端Ｐの高さ位置よりも上方に延出する延出部５３を有しているため、背側部Ａの上端縁近傍、特に背側部Ａの左右の上端角部が、おむつの外方や内方に折れ曲がることが効果的に防止され、例えば外方や内方に折れ曲がって外観が悪化したり、人体とおむつとの間に隙間が生じて漏れが生じたりすることが防止される。
【００１７】
背側部Ａの上端縁近傍、特に背側部Ａの左右の上端角部の折れ曲がりを防止する観点から、テープ固定部５２の前記延出部５３の延出長さＬ３は、テープ突出部５１，５１の基部上端Ｐの高さ位置と背側部Ａの上端縁１１との間の距離Ｌ４に対して５〜９５％であることが好ましく、１５〜６０％であることがより好ましい。
【００１８】
本実施形態の使い捨ておむつ１におけるテープ突出部５１は、図４に示すように、突出方向の先端部の幅Ｗ１が、その基部の幅Ｗ２よりも狭くなっている。テープ突出部５１における基部の幅Ｗ２を先端部の幅Ｗ１よりも広くすることにより、おむつのずれ落ちをより一層防止することができる。
おむつのずれ落ちを一層防止する観点から、テープ突出部５１における先端部の幅Ｗ１に対する基部の幅Ｗ２の比（Ｗ２／Ｗ１）は、１．１〜３．０、特  １．２〜１．５であることが好ましい。
【００１９】
また、おむつのずれ落ちを一層防止する観点から、テープ突出部５１は、その上縁及び下縁がテーパー状になされていることが好ましく、上縁及び下縁それぞれのテーパー角度θ１，θ２（図４参照）は３〜１５度であることが好ましい。
【００２０】
本実施形態の使い捨ておむつにおける各テープ突出部５１は、上下方向（突出方向に直交する方向）の中央線５１ａに対して線対称に形成されており、その片面には、図４に示す如く、腹側部Ｂ外面のランディングゾーン８に止着するための止着部５４が形成されている。止着部５４は、多数の係合突起を有する機械的ファスナーのオス部材を固定して形成され、機械的ファスナーのメス部材からなるランディンテープ８１を配して形成された腹側部Ｂ外面のランディングゾーン８に着脱自在に係合し得るように構成されている。機械的ファスナーのオス部材としては、３Ｍ社製の「ＣＳ・２００（登録商標）」等を用いることができる。ランディングゾーン８は、所定幅の帯状領域として、腹側部Ｂの上端縁１２と平行に且つ長手方向を腹側部Ｂの幅方向に一致させて形成されている。尚、防漏シート３の外面側の全面又は一部に外層不織布化し、その外層不織布の所定領域に着色等の目印を施して、その領域（着色領域）をランディングゾーンとしてもよい。また、止着部５４は、感圧型粘着テープでもよく、その際、ランディングゾーンは、感圧型粘着テープと剥離可能な剥離処理したフィルムでもよい。
【００２１】
また、本実施形態の使い捨ておむつ１は、図５に示すように、背側部Ａの上端縁１１と腹側部Ｂの上端縁１２とが重なるように二つ折りしたときに、ファスニングテープ５，５における、背側部Ａの左右両側端１３，１３から突出するテープ突出部５１，５１の上下方向の幅Ｗ５の半分以上が、前記ランディングゾーンの下端８２よりも下方に位置する。図５には、テープ突出部５１，５１における、ランディングゾーンの下端８２よりも下方に位置する部分の幅をＷ６として示してある。
本実施形態の使い捨ておむつ１は、斯かる構成を有するため、おむつを装着する際に、確実に、背側部Ａの上端縁１１が腹側部Ｂの上端縁１２よりも上方に位置するように装着することができ、ずれ落ち防止効果を確実に得ることができる。尚、テープ突出部５１における、ランディングゾーンの下端８２よりも下方に位置する部分の幅Ｗ６は、該テープ突出部５１の上下方向の幅Ｗ５の１５〜１００％、特に２０〜４０％であることが好ましい。
【００２２】
使い捨ておむつ１における各部の寸法は、ずれ落ち防止及び装着容易性等の観点等から以下の範囲内であることが好ましい。
ランディングゾーン８の幅Ｗ３は２〜８ｃｍ、特に３．５〜５ｃｍであることが好ましい。
ランディングゾーン８と腹側部Ｂの上端縁１２との間の幅Ｗ４は０．５〜５ｃｍ、特に２〜３ｃｍであることが好ましい。
テープ固定部５２の延出部５３の延出長さＬ３は０．５〜６ｃｍ、特に０．５〜２ｃｍであることが好ましい。
テープ固定部５２の上下方向の長さＬ５は、３〜８ｃｍ、特に４〜６．５ｃｍであることが好ましい。
【００２３】
尚、表面シート２、防漏シート３、吸収体４、ファスニングテープ５、立体ガード形成用のシート材６２、立体ガード弾性部材６１、レッグ部弾性部材７１、ウエスト部弾性部材の形成材料としては、それぞれ、従来、使い捨ておむつに使用されている各種の材料を特に制限なく用いることができる。
【００２４】
本発明は、上記実施形態に制限されない。例えば、ファスニングテープ５は、図６（ａ）に示すような形状のものであっても良い。また、テープ固定部は、ファスニングテープ５が、背側部Ａの左右両側縁部の肌当接面又は非肌当接面を構成するシート材３，６２上に固定されて形成されたものであっても良い。
また、テープ固定部５２は、図６（ｂ）に示すように、テープ突出部５１の基部下端Ｑの高さ位置よりも下方に延出する下方延出部５５を有することが好ましく、下方延出部５５の延出長さＬ６は、上記実施形態のように、上方に延出する前記延出部５３の延出長さＬ３と同じであっても良いが、異なっていても良く、更に下方延出部５５はなくても良い。
【００２５】
また、テープ突出部５１の止着部５４が、ファスニングテープ５の片面に粘着材を塗布して形成されたものであり、フィルム等からなるランディングゾーンに粘着するものであっても良い。更に、各部の形状、寸法、形成材料等は、適宜に変更可能である。
【００２６】
【発明の効果】
本発明の使い捨ておむつは、ずれ落ちにくく、外観に優れており、装着が容易である。
【図面の簡単な説明】
【図１】図１は、本発明（第１，第２）の使い捨ておむつの一実施形態を示す斜視図である。
【図２】図２は、図１のおむつの着用時における側部を拡大して示す図である。
【図３】図３は、図１のおむつを平面状に展開した状態を示す平面図である。
【図４】図４は、図１のおむつにおけるファスニングテープを示す説明図である。
【図５】図５は、第２発明の一実施形態としての使い捨ておむつを説明するための説明図である。
【図６】図６は、本発明の他の実施形態における要部を示す図である。
【符号の説明】
１    使い捨ておむつ
２    表面シート
３    裏面シート
４    吸収体
５    ファスニングテープ
５１  テープ突出部
５２  テープ固定部
５３  延出部
６    立体ガード
６１  立体ガード弾性部材
６２  立体ガード形成用のシート材
８  ランディングゾーン
１１  背側部の上端縁
１２  腹側部の上端縁
１３  背側部の左右の側端
Ａ  背側部
Ｂ  腹側部
【図１】
0004076315.tif 000002
【図２】
0004076315.tif 000003
【図３】
0004076315.tif 000004
【図４】
0004076315.tif 000005
【図５】
0004076315.tif 000006
【図６】
0004076315.tif 000007